(57)【要約】【課題】移動局ＵＥが、ＬＴＥ方式のシステムにて待ち受けを行っている場合であっても、回線交換通信（発着信共に）を行うことを可能とする。【解決手段】移動通信方法は、第１プロトコル用サービス要求を受信した交換機ＭＭＥが、無線基地局ｅＮＢに対して、回線交換通信の開始に関係することを示す第１プロトコル用サービス応答を送信する工程と、回線交換通信の開始に関係することを示す設定情報を受信した無線基地局ｅＮＢが、機能ＥＭＭに対して第１プロトコル用サービス応答を転送するのと同時に、機能ＡＳに対して指示情報を送信する工程と、第１プロトコル用サービス応答を受信した機能ＥＭＭが、機能ＭＭに対して回線交換通信を開始するように指示する工程と、指示情報を受信した機能ＭＭが、第２通信方式のセルを選択する工程と、機能ＭＭが、第２通信方式のセルを介して回線交換通信用のリンクを確立する工程とを有する。【選択図】図３
2009267997.tif 000002
【特許請求の範囲】
【請求項１】
回線交換通信に対応不能な第１通信方式のシステム及び回線交換通信に対応可能な第２通信方式のシステムが混在する移動通信システムにおいて、前記第１通信方式のシステムにて待ち受けを行っている移動局が回線交換通信を開始する移動通信方法であって、
前記移動局は、該移動局と前記第１通信方式のコアネットワーク装置との間で終端する第１プロトコル対応処理を行う第１プロトコル処理部と、該移動局と前記第２通信方式のコアネットワーク装置との間で終端する第２プロトコル対応処理を行う第２プロトコル処理部と、該移動局と無線アクセスネットワーク装置との間で終端する第３プロトコル対応処理を行う第３プロトコル処理部とを具備しており、
前記第１通信方式のコアネットワーク装置が、前記第１プロトコル処理部から、前記第１通信方式の無線アクセスネットワーク装置を介して、回線交換通信を開始することを要求する第１プロトコル用サービス要求を受信した場合に、前記第１通信方式の無線アクセスネットワーク装置に対して、回線交換通信の開始に関係することを示す第１プロトコル用サービス応答を送信する工程Ａと、
前記第１通信方式の無線アクセスネットワーク装置が、前記第１通信方式のコアネットワーク装置から回線交換通信の開始に関係することを示す設定情報を受信した場合、前記第１プロトコル処理部に対して、前記第１プロトコル用サービス応答を転送するのと同時に、前記第３プロトコル処理部に対して、前記第２通信方式のセル選択を行うように指示する指示情報を送信する工程Ｂと、
前記第１プロトコル処理部が、前記第１プロトコル用サービス応答を受信した場合に、前記第２プロトコル処理部に対して、前記回線交換通信を開始するように指示する工程Ｃと、
前記第３プロトコル処理部が、前記指示情報を受信した場合に、前記第２通信方式のセルを選択する工程Ｄと、
前記指示を受けた前記第２プロトコル処理部が、前記第３プロトコル処理部によって選択された前記第２通信方式のセルを介して回線交換通信用のリンクを確立する工程Ｅとを有することを特徴とする移動通信方法。
【請求項２】
前記工程Ａにおいて、前記第１通信方式のコアネットワーク装置が、回線交換通信の開始に関係することを示す前記第１プロトコル用サービス要求を受信した場合に、前記第１通信方式の無線アクセスネットワーク装置に対して、前記第１プロトコル用サービス応答及び前記設定情報を送信することを特徴とする請求項１に記載の移動通信方法。
【請求項３】
前記第１通信方式のコアネットワーク装置が、前記移動局の識別情報を含むページング信号を送信する工程と、
前記第１通信方式のコアネットワーク装置が、前記第１通信方式の無線アクセスネットワーク装置から、前記移動局の識別情報を含む初期情報を受信する工程とを有し、
前記工程Ａにおいて、前記第１通信方式のコアネットワーク装置が、前記ページング信号に含まれる前記移動局の識別情報と前記初期情報に含まれる前記移動局の識別情報とが一致する場合に、前記第１通信方式の無線アクセスネットワーク装置に対して、前記第１プロトコル用サービス応答及び前記設定情報を送信することを特徴とする請求項１に記載の移動通信方法。
【請求項４】
前記工程Ａにおいて、前記第１プロトコル処理部は、前記第１プロトコル用サービス要求を、前記移動局と前記第１通信方式の無線アクセスネットワーク装置との間の無線リンクの確立応答内に含めて、該第１通信方式のコアネットワーク装置に送信することを特徴とする請求項１に記載の移動通信方法。
【請求項５】
前記工程Ｂにおいて、前記第１通信方式の無線アクセスネットワーク装置は、前記第１プロトコル用サービス応答を前記指示情報内に含めて、前記第３プロトコル処理部に対して送信することを特徴とする請求項１に記載の移動通信方法。
【請求項６】
回線交換通信に対応不能な第１通信方式のシステム及び回線交換通信に対応可能な第２通信方式のシステムが混在する移動通信システムにおいて、前記第１通信方式のシステムにて待ち受けを行っている場合であっても回線交換通信を開始することができる移動局であって、
前記移動局と前記第１通信方式のコアネットワーク装置との間で終端する第１プロトコル対応処理を行う第１プロトコル処理部と、
該移動局と前記第２通信方式のコアネットワーク装置との間で終端する第２プロトコル対応処理を行う第２プロトコル処理部と、
該移動局と無線アクセスネットワーク装置との間で終端する第３プロトコル対応処理を行う第３プロトコル処理部とを具備しており、
前記第１プロトコル処理部は、前記第１通信方式の無線アクセスネットワーク装置を介して、回線交換通信の開始に関係することを示す第１プロトコル用サービス要求を送信するように構成されており、
前記第１プロトコル処理部は、前記第１通信方式の無線アクセスネットワーク装置から、回線交換通信の開始に関係することを示す第１プロトコル用サービス応答を受信した場合に、前記第２プロトコル処理部に対して、前記回線交換通信を開始するように指示するように構成されており、
前記第３プロトコル処理部は、前記第１通信方式の無線アクセスネットワーク装置から、前記第２通信方式のセル選択を行うように指示する指示情報を受信した場合に、前記第２通信方式のセルを選択するように構成されており、
前記前記第１プロトコル処理部からの指示を受けた前記第２プロトコル処理部は、前記第３プロトコル処理部によって選択された前記第２通信方式のセルを介して回線交換通信用のリンクを確立するように構成されていることを特徴とする移動局。
【請求項７】
回線交換通信に対応不能な第１通信方式のシステム及び回線交換通信に対応可能な第２通信方式のシステムが混在する移動通信システムで用いられる第１通信方式のコアネットワーク装置であって、
前記移動局と前記第１通信方式のコアネットワーク装置との間で終端する第１プロトコル対応処理を行う該移動局の第１プロトコル処理部から、前記第１通信方式の無線アクセスネットワーク装置を介して、第１プロトコル用サービス要求を受信した場合に、該第１通信方式の無線アクセスネットワーク装置を介して、該第１プロトコル処理部に対して、回線交換通信の開始に関係することを示す第１プロトコル用サービス応答を送信するのと同時に、該第１通信方式の無線アクセスネットワーク装置に対して、回線交換通信の開始に関係することを示す設定情報を送信するように構成されていることを特徴とするコアネットワーク装置。
【請求項８】
回線交換通信の開始に関係することを示す前記第１プロトコル用サービス要求を受信した場合に、前記第１通信方式の無線アクセスネットワーク装置に対して、前記第１プロトコル用サービス応答及び前記設定情報を送信するように構成されていることを特徴とする請求項７に記載のコアネットワーク装置。
【請求項９】
前記移動局の識別情報を含むページング信号を送信し、前記第１通信方式の無線アクセスネットワーク装置から、前記移動局の識別情報を含む初期情報を受信するように構成されており、
前記ページング信号に含まれる前記移動局の識別情報と前記初期情報に含まれる前記移動局の識別情報とが一致する場合に、前記第１通信方式の無線アクセスネットワーク装置に対して、前記第１プロトコル用サービス応答及び前記設定情報を送信するように構成されていることを特徴とする請求項７に記載のコアネットワーク装置。
【請求項１０】
前記設定情報内に前記第１プロトコル用サービス応答を含めて送信するように構成されていることを特徴とする請求項７に記載のコアネットワーク装置。
【発明の詳細な説明】
【技術分野】
【０００１】
本発明は、回線交換通信に対応不能な第１通信方式のシステム及び回線交換通信に対応可能な第２通信方式のシステムが混在する移動通信システムにおいて、前記第１通信方式のシステムにて待ち受けを行っている移動局が回線交換通信を開始する移動通信方法、移動局及びコアネットワーク装置に関する。
【背景技術】
【０００２】
図５を参照して、従来のＬＴＥ（Ｌｏｎｇ  Ｔｅｒｍ  Ｅｖｏｌｕｔｉｏｎ）方式のシステムにおける通信開始動作について説明する。
【０００３】
図５に示すように、ステップＳ３０００において、移動局ＵＥは、ＬＴＥ方式の交換機ＭＭＥに対して、位置登録処理（Ａｔｔａｃｈ/ＴＡＵ（Ｔｒａｃｋｉｎｇ  Ａｒｅａ  Ｕｐｄａｔｅ））を行っている。
【０００４】
ステップＳ３００１Ａにおいて、移動局ＵＥのアプリケーション機能ＡＰが、ユーザによる発信操作に応じて、ＥＭＭプロトコル対応処理を行う機能ＥＭＭに対して「Ｐｒｉｍｉｔｉｖｅ」を送信する。
【０００５】
或いは、ＬＴＥ方式の交換機ＭＭＥが、ステップＳ３００１Ｂにおいて、ＬＴＥ方式の無線基地局ｅＮＢに対して「Ｓ１  Ｐａｇｉｎｇ」を送信すると共に、ステップＳ３００１Ｃにおいて、機能ＥＭＭに対して「Ｐａｇｉｎｇ」を送信する。
【０００６】
その結果、ステップＳ３００２において、機能ＥＭＭが、ＡＳプロトコル対応処理を行う機能ＡＳに対して「Ｐｒｉｍｉｔｉｖｅ」を送信する。
【０００７】
ステップＳ３００３において、機能ＡＳが、無線基地局ｅＮＢに対して「ＲＲＣ  Ｃｏｎｎｅｃｔｉｏｎ  Ｒｅｑｕｅｓｔ」を送信する。
【０００８】
ステップＳ３００４において、無線基地局ｅＮＢが、機能ＡＳに対して「ＲＲＣ  Ｃｏｎｎｅｃｔｉｏｎ  Ｓｅｔｕｐ」を送信する。
【０００９】
ステップＳ３００５乃至Ｓ３００７において、機能ＥＭＭが、機能ＡＳに対して「ＮＡＳ  Ｓｅｒｖｉｃｅ  Ｒｅｑｕｅｓｔ」を送信し、機能ＡＳが、受信した「ＮＡＳ  Ｓｅｒｖｉｃｅ  Ｒｅｑｕｅｓｔ」を「ＲＲＣ  Ｃｏｎｎｅｃｔｉｏｎ  Ｓｅｔｕｐ  Ｃｏｍｐｌｅｔｅ」内に含めて無線基地局ｅＮＢに送信し、無線基地局ｅＮＢが、受信した「ＲＲＣ  Ｃｏｎｎｅｃｔｉｏｎ  Ｒｅｑｕｅｓｔ」内から「Ｓ-ＴＭＳＩ」を抽出し、また、受信した「ＲＲＣ  Ｃｏｎｎｅｃｔｉｏｎ  Ｓｅｔｕｐ  Ｃｏｍｐｌｅｔｅ」内から「ＮＡＳ  Ｓｅｒｖｉｃｅ  Ｒｅｑｕｅｓｔ」を抽出し、抽出した「Ｓ−ＴＭＳＩ」及び「ＮＡＳ  Ｓｅｒｖｉｃｅ  Ｒｅｑｕｅｓｔ」を「Ｓ１  Ｉｎｉｔｉａｌ  ＵＥ  Ｍｅｓｓａｇｅ」内に含めて交換機ＭＭＥに送信する。
【００１０】
ステップＳ３００８において、交換機ＭＭＥが、無線基地局ｅＮＢに対して、「ＵＥ  ｃａｐａｂｉｌｉｔｙ（移動局の能力情報）」を含む「Ｓ１  Ｉｎｉｔｉａｌ  ＵＥ  Ｃｏｎｔｅｘｔ  Ｓｅｔｕｐ」を送信する。
【００１１】
ステップＳ３００９において、無線基地局ｅＮＢが、機能ＡＳに対して「ＲＲＣ  Ｓｅｃｕｒｉｔｙ  Ｍｏｄｅ  Ｃｏｍｍａｎｄ」を送信し、ステップＳ３０１０において、機能ＡＳが、機能ＥＭＭに対して「Ｐｒｉｍｉｔｉｖｅ」を送信する。
【００１２】
ステップＳ３０１１において、無線基地局ｅＮＢが、機能ＡＳに対して「ＲＲＣ  Ｃｏｎｎｅｃｔｉｏｎ  Ｒｅｃｏｎｆｉｇｕｒａｔｉｏｎ」を送信し、ステップＳ３０１２において、機能ＡＳが、機能ＥＭＭに対して「Ｐｒｉｍｉｔｉｖｅ」を送信する。
【００１３】
機能ＡＳが、無線基地局ｅＮＢに対して、ステップＳ３０１３において、「ＲＲＣ  Ｓｅｃｕｒｉｔｙ  Ｍｏｄｅ  Ｃｏｍｐｌｅｔｅ」を送信し、ステップＳ３０１４において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００１４】
ステップＳ３０１５において、無線基地局ｅＮＢが、交換機ＭＭＥに対して「Ｓ１  Ｓｅｔｕｐ  Ｃｏｍｐｌｅｔｅ」を送信する。
【００１５】
ステップＳ３０１６において、移動局ＵＥとネットワークとの間で「Ｕ-Ｐｌａｎｅ」が導通する。
【非特許文献１】３ＧＰＰ  ＴＳ３６.３００  Ｖ８.４.０、２００８年３月
【非特許文献２】３ＧＰＰ  ＴＳ２３.２７２  Ｖ１.０.０、２００８年３月
【発明の開示】
【発明が解決しようとする課題】
【００１６】
しかしながら、従来のＬＴＥ方式のシステムは、回線交換（ＣＳ：Ｃｉｒｃｕｉｔ  Ｓｗｉｔｃｈ）通信に対応していないため、移動局ＵＥが、ＬＴＥ方式のシステムにて待ち受けを行っている場合に、回線交換通信（発着信共に）を行うことができないという問題点があった。
【００１７】
そこで、本発明は、上述の課題に鑑みてなされたものであり、移動局ＵＥが、ＬＴＥ方式のシステムにて待ち受けを行っている場合であっても、回線交換通信（発着信共に）を行うことができる移動通信方法、移動局及びコアネットワーク装置を提供することを目的とする。
【課題を解決するための手段】
【００１８】
本発明の第１の特徴は、回線交換通信に対応不能な第１通信方式のシステム及び回線交換通信に対応可能な第２通信方式のシステムが混在する移動通信システムにおいて、前記第１通信方式のシステムにて待ち受けを行っている移動局が回線交換通信を開始する移動通信方法であって、前記移動局は、該移動局と前記第１通信方式のコアネットワーク装置との間で終端する第１プロトコル対応処理を行う第１プロトコル処理部と、該移動局と前記第２通信方式のコアネットワーク装置との間で終端する第２プロトコル対応処理を行う第２プロトコル処理部と、該移動局と無線アクセスネットワーク装置との間で終端する第３プロトコル対応処理を行う第３プロトコル処理部とを具備しており、前記第１通信方式のコアネットワーク装置が、前記第１プロトコル処理部から、前記第１通信方式の無線アクセスネットワーク装置を介して、回線交換通信を開始することを要求する第１プロトコル用サービス要求を受信した場合に、前記第１通信方式の無線アクセスネットワーク装置に対して、回線交換通信の開始に関係することを示す第１プロトコル用サービス応答を送信する工程Ａと、前記第１通信方式の無線アクセスネットワーク装置が、前記第１通信方式のコアネットワーク装置から回線交換通信の開始に関係することを示す設定情報を受信した場合、前記第１プロトコル処理部に対して、前記第１プロトコル用サービス応答を転送するのと同時に、前記第３プロトコル処理部に対して、前記第２通信方式のセル選択を行うように指示する指示情報を送信する工程Ｂと、前記第１プロトコル処理部が、前記第１プロトコル用サービス応答を受信した場合に、前記第２プロトコル処理部に対して、前記回線交換通信を開始するように指示する工程Ｃと、前記第３プロトコル処理部が、前記指示情報を受信した場合に、前記第２通信方式のセルを選択する工程Ｄと、前記指示を受けた前記第２プロトコル処理部が、前記第３プロトコル処理部によって選択された前記第２通信方式のセルを介して回線交換通信用のリンクを確立する工程Ｅとを有することを要旨とする。
【００１９】
本発明の第１の特徴において、前記工程Ａにおいて、前記第１通信方式のコアネットワーク装置が、回線交換通信の開始に関係することを示す前記第１プロトコル用サービス要求を受信した場合に、前記第１通信方式の無線アクセスネットワーク装置に対して、前記第１プロトコル用サービス応答及び前記設定情報を送信してもよい。
【００２０】
本発明の第１の特徴において、前記第１通信方式のコアネットワーク装置が、前記移動局の識別情報を含むページング信号を送信する工程と、前記第１通信方式のコアネットワーク装置が、前記第１通信方式の無線アクセスネットワーク装置から、前記移動局の識別情報を含む初期情報を受信する工程とを有し、前記工程Ａにおいて、前記第１通信方式のコアネットワーク装置が、前記ページング信号に含まれる前記移動局の識別情報と前記初期情報に含まれる前記移動局の識別情報とが一致する場合に、前記第１通信方式の無線アクセスネットワーク装置に対して、前記第１プロトコル用サービス応答及び前記設定情報を送信してもよい。
【００２１】
本発明の第１の特徴において、前記工程Ａにおいて、前記第１プロトコル処理部は、前記第１プロトコル用サービス要求を、前記移動局と前記第１通信方式の無線アクセスネットワーク装置との間の無線リンクの確立応答内に含めて、該第１通信方式のコアネットワーク装置に送信してもよい。
【００２２】
本発明の第１の特徴において、前記工程Ｂにおいて、前記第１通信方式の無線アクセスネットワーク装置は、前記第１プロトコル用サービス応答を前記指示情報内に含めて、前記第３プロトコル処理部に対して送信してもよい。
【００２３】
本発明の第２の特徴は、回線交換通信に対応不能な第１通信方式のシステム及び回線交換通信に対応可能な第２通信方式のシステムが混在する移動通信システムにおいて、前記第１通信方式のシステムにて待ち受けを行っている場合であっても回線交換通信を開始することができる移動局であって、前記移動局と前記第１通信方式のコアネットワーク装置との間で終端する第１プロトコル対応処理を行う第１プロトコル処理部と、該移動局と前記第２通信方式のコアネットワーク装置との間で終端する第２プロトコル対応処理を行う第２プロトコル処理部と、該移動局と無線アクセスネットワーク装置との間で終端する第３プロトコル対応処理を行う第３プロトコル処理部とを具備しており、前記第１プロトコル処理部は、前記第１通信方式の無線アクセスネットワーク装置を介して、回線交換通信の開始に関係することを示す第１プロトコル用サービス要求を送信するように構成されており、前記第１プロトコル処理部は、前記第１通信方式の無線アクセスネットワーク装置から、回線交換通信の開始に関係することを示す第１プロトコル用サービス応答を受信した場合に、前記第２プロトコル処理部に対して、前記回線交換通信を開始するように指示するように構成されており、前記第３プロトコル処理部は、前記第１通信方式の無線アクセスネットワーク装置から、前記第２通信方式のセル選択を行うように指示する指示情報を受信した場合に、前記第２通信方式のセルを選択するように構成されており、前記前記第１プロトコル処理部からの指示を受けた前記第２プロトコル処理部は、前記第３プロトコル処理部によって選択された前記第２通信方式のセルを介して回線交換通信用のリンクを確立するように構成されていることを要旨とする。
【００２４】
本発明の第３の特徴は、回線交換通信に対応不能な第１通信方式のシステム及び回線交換通信に対応可能な第２通信方式のシステムが混在する移動通信システムで用いられる第１通信方式のコアネットワーク装置であって、前記移動局と前記第１通信方式のコアネットワーク装置との間で終端する第１プロトコル対応処理を行う該移動局の第１プロトコル処理部から、前記第１通信方式の無線アクセスネットワーク装置を介して、第１プロトコル用サービス要求を受信した場合に、該第１通信方式の無線アクセスネットワーク装置を介して、該第１プロトコル処理部に対して、回線交換通信の開始に関係することを示す第１プロトコル用サービス応答を送信するのと同時に、該第１通信方式の無線アクセスネットワーク装置に対して、回線交換通信の開始に関係することを示す設定情報を送信するように構成されていることを要旨とする。
【００２５】
本発明の第３の特徴において、回線交換通信の開始に関係することを示す前記第１プロトコル用サービス要求を受信した場合に、前記第１通信方式の無線アクセスネットワーク装置に対して、前記第１プロトコル用サービス応答及び前記設定情報を送信するように構成されていてもよい。
【００２６】
本発明の第３の特徴において、前記移動局の識別情報を含むページング信号を送信し、前記第１通信方式の無線アクセスネットワーク装置から、前記移動局の識別情報を含む初期情報を受信するように構成されており、前記ページング信号に含まれる前記移動局の識別情報と前記初期情報に含まれる前記移動局の識別情報とが一致する場合に、前記第１通信方式の無線アクセスネットワーク装置に対して、前記第１プロトコル用サービス応答及び前記設定情報を送信するように構成されていてもよい。
【００２７】
本発明の第３の特徴において、前記設定情報内に前記第１プロトコル用サービス応答を含めて送信するように構成されていてもよい。
【発明の効果】
【００２８】
以上説明したように、本発明によれば、移動局ＵＥが、ＬＴＥ方式のシステムにて待ち受けを行っている場合であっても、回線交換通信（発着信共に）を行うことができる移動通信方法、移動局及びコアネットワーク装置を提供することができる。
【発明を実施するための最良の形態】
【００２９】
（本発明の第１の実施形態に係る移動通信システムの構成）
図１及び図２を参照して、本発明の第１の実施形態に係る移動通信システムの構成について説明する。
【００３０】
図１に示すように、本実施形態に係る移動通信システムでは、回線交換通信に対応不能なＬＴＥ方式（第１通信方式）のシステム及び回線交換通信に対応可能なＷＣＤＭＡ/ＧＳＭ（第２通信方式）のシステムが混在している。
【００３１】
具体的には、ＬＴＥ方式（第１通信方式）のシステムは、交換機ＭＭＥ（第１通信方式のコアネットワーク装置）と、無線基地局ｅＮＢ（第１通信方式の無線アクセスネットワーク装置）とを具備している。
【００３２】
また、ＷＣＤＭＡ/ＧＳＭ（第２通信方式）のシステムは、回線交換通信用交換機ＭＳＣ（第２通信方式のコアネットワーク装置）と、パケット通信用交換機ＳＧＳＮ（第２通信方式のコアネットワーク装置）と、無線制御装置ＲＮＣ/ＢＳＣ（第２通信方式の無線アクセスネットワーク装置）と、無線基地局ＮｏｄｅＢ/ＢＴＳ（第２通信方式の無線アクセスネットワーク装置）とを具備している。
【００３３】
また、図２に示すように、移動局ＵＥは、移動局ＵＥと交換機ＭＭＥ（第１通信方式のコアネットワーク装置）との間で終端するＥＭＭプロトコル（第１プロトコル）対応処理を行う機能ＥＭＭ（第１プロトコル処理部）と、移動局ＵＥと交換機ＭＳＣ/ＳＧＳＮ（第２通信方式のコアネットワーク装置）との間で終端するＭＭプロトコル（第２プロトコル）対応処理を行う機能ＭＭ（第２プロトコル処理部）と、移動局ＵＥと無線基地局ｅＮＢ/無線制御装置ＲＮＣ/ＢＳＣ（無線アクセスネットワーク装置）との間で終端するＡＳプロトコル（第３プロトコル）対応処理を行う機能ＡＳ（第３プロトコル処理部）とを具備している。
【００３４】
なお、本来ＡＳプロトコルは、移動局ＵＥと無線基地局ｅＮＢとの間で終端する第１ＡＳプロトコル、移動局ＵＥと無線制御装置ＲＮＣ（ＷＣＤＭＡにおける無線制御装置）との間で終端する第２ＡＳプロトコル、移動局ＵＥと無線制御装置ＢＳＣ（ＧＳＭにおける無線制御装置）との間で終端される第３ＡＳプロトコルに分けられ、各々独立なプロトコルである。
【００３５】
本明細書では、便宜上、これらの３種類のＡＳプロトコルを一纏めに「ＡＳプロトコル」と呼ぶが、詳細には、以下の実施形態における「第２通信方式のセル選択」を行う機能は、第２通信方式（ＷＣＤＭＡ方式或いはＧＳＭ方式）に応じた第２ＡＳプロトコル或いは第３ＡＳプロトコルが担う機能である。
【００３６】
以下の実施例における他の機能は、全て第１ＡＳプロトコルが担う機能である。
【００３７】
（本発明の第１の実施形態に係る移動通信システムの動作）
図３及び図４を参照して、本発明の第１の実施形態に係る移動通信システムの動作について説明する。
【００３８】
第１に、図３を参照して、移動局ＵＥからの発信処理について説明する。
【００３９】
図３に示すように、ステップＳ１０００において、移動局ＵＥは、ＬＴＥ方式の交換機ＭＭＥ及びＷＣＤＭＡ/ＧＳＭ方式の交換機ＭＳＣに対して、位置登録処理（Ａｔｔａｃｈ/ＴＡＵ）を行っている。ステップＳ１０００において、かかる位置登録処理を行った後、移動局ＵＥは、ＬＴＥ方式のシステムにて待ち受けを行っている。
【００４０】
ステップＳ１００１において、移動局ＵＥのアプリケーション機能ＡＰが、ユーザによる発信操作に応じて、ＥＭＭプロトコル対応処理を行う機能ＥＭＭに対して「Ｐｒｉｍｉｔｉｖｅ」を送信する。
【００４１】
ステップＳ１００２において、機能ＥＭＭが、ＡＳプロトコル対応処理を行う機能ＡＳに対して「Ｐｒｉｍｉｔｉｖｅ」を送信する。
【００４２】
ステップＳ１００３において、機能ＡＳが、無線基地局ｅＮＢに対して「ＲＲＣ  Ｃｏｎｎｅｃｔｉｏｎ  Ｒｅｑｕｅｓｔ」を送信する。
【００４３】
ステップＳ１００４において、無線基地局ｅＮＢが、機能ＡＳに対して「ＲＲＣ  Ｃｏｎｎｅｃｔｉｏｎ  Ｓｅｔｕｐ」を送信する。
【００４４】
ステップＳ１００５乃至Ｓ１００７において、機能ＥＭＭが、機能ＡＳに対して「ＮＡＳ  Ｓｅｒｖｉｃｅ  Ｒｅｑｕｅｓｔ」を送信し、機能ＡＳが、受信した「ＮＡＳ  Ｓｅｒｖｉｃｅ  Ｒｅｑｕｅｓｔ」を「ＲＲＣ  Ｃｏｎｎｅｃｔｉｏｎ  Ｓｅｔｕｐ  Ｃｏｍｐｌｅｔｅ」内に含めて無線基地局ｅＮＢに送信し、無線基地局ｅＮＢが、受信した「ＲＲＣ  Ｃｏｎｎｅｃｔｉｏｎ  Ｒｅｑｕｅｓｔ」内から「Ｓ-ＴＭＳＩ」を抽出し、また、受信した「ＲＲＣ  Ｃｏｎｎｅｃｔｉｏｎ  Ｓｅｔｕｐ  Ｃｏｍｐｌｅｔｅ」内から「ＮＡＳ  Ｓｅｒｖｉｃｅ  Ｒｅｑｕｅｓｔ」を抽出し、抽出した「Ｓ-ＴＭＳＩ」及び「ＮＡＳ  Ｓｅｒｖｉｃｅ  Ｒｅｑｕｅｓｔ」を「Ｓ１  Ｉｎｉｔｉａｌ  ＵＥ  Ｍｅｓｓａｇｅ」内に含めて交換機ＭＭＥに送信する。
【００４５】
ここで、「ＮＡＳ  Ｓｅｒｖｉｃｅ  Ｒｅｑｕｅｓｔ（第１プロトコル用サービス要求）」には、回線交換通信の開始に関係することを示す情報「ＣＳＦＢ」が含まれているものとする。
【００４６】
ステップＳ１００８乃至Ｓ１０１０において、交換機ＭＭＥが、情報「ＣＳＦＢ」を含む「ＮＡＳ  Ｓｅｒｖｉｃｅ  Ｒｅｑｕｅｓｔ（第１プロトコル用サービス要求）」を受信した場合に、無線基地局ｅＮＢに対して、「ＵＥ  ｃａｐａｂｉｌｉｔｙ（移動局の能力情報）」を含む「Ｓ１  Ｉｎｉｔｉａｌ  ＵＥ  Ｃｏｎｔｅｘｔ  Ｓｅｔｕｐ」内に「ＮＡＳ  Ｓｅｒｖｉｃｅ  Ａｃｃｅｐｔ」を含めて送信する。
【００４７】
ここで、「Ｓ１  Ｉｎｉｔｉａｌ  ＵＥ  Ｃｏｎｔｅｘｔ  Ｓｅｔｕｐ（設定情報）」及び「ＮＡＳ  Ｓｅｒｖｉｃｅ  Ａｃｃｅｐｔ（第１プロトコル用サービス応答）」には、回線交換通信の開始に関係することを示す情報「ＣＳＦＢ（Ｃｉｒｃｕｉｔ  Ｓｗｉｔｃｈ  ＦａｌｌＢａｃｋ）」が含まれているものとする。
【００４８】
その後、無線基地局ｅＮＢが、受信した「Ｓ１  Ｉｎｉｔｉａｌ  ＵＥ  Ｃｏｎｔｅｘｔ  Ｓｅｔｕｐ」内から「ＮＡＳ  Ｓｅｒｖｉｃｅ  Ａｃｃｅｐｔ」を抽出し、抽出した「ＮＡＳ  Ｓｅｒｖｉｃｅ  Ａｃｃｅｐｔ」を「ＲＲＣ  ＨＯ  ｆｒｏｍ  ＥＵＴＲＡ」又は「ＲＲＣ  Ｃｏｎｎｅｃｔｉｏｎ  Ｒｅｌｅａｓｅ」内に含めて交換機ＭＭＥに送信する。
【００４９】
すなわち、無線基地局ｅＮＢは、機能ＥＭＭに対して「ＮＡＳ  Ｓｅｒｖｉｃｅ  Ａｃｃｅｐｔ」を送信するのと同時に、機能ＡＳに対して「ＲＲＣ  ＨＯ  ｆｒｏｍ  ＥＵＴＲＡ」又は「ＲＲＣ  Ｃｏｎｎｅｃｔｉｏｎ  Ｒｅｌｅａｓｅ」を送信している。
【００５０】
ここで、「ＲＲＣ  ＨＯ  ｆｒｏｍ  ＥＵＴＲＡ」又は「ＲＲＣ  Ｃｏｎｎｅｃｔｉｏｎ  Ｒｅｌｅａｓｅ」には、「Ｒｅｄｉｒｅｃｔｉｏｎ  Ｉｎｆｏｒｍａｔｉｏｎ」が含まれる。
【００５１】
「Ｒｅｄｉｒｅｃｔｉｏｎ  Ｉｎｆｏｒｍａｔｉｏｎ」は、ＷＣＤＭＡ/ＧＳＭ（第２通信方式）の前記第２通信方式のセル選択を行うように指示する指示情報である。
【００５２】
また、「Ｒｅｄｉｒｅｃｔｉｏｎ  Ｉｎｆｏｒｍａｔｉｏｎ」には、第２通信方式の周波数、セルＩＤ、該セルのシステム情報等が含まれていてもよい。
【００５３】
さらに、「Ｒｅｄｉｒｅｃｔｉｏｎ  Ｉｎｆｏｒｍａｔｉｏｎ」には、回線交換通信の開始に関係することを示す情報「ＣＳＦＢ」が含まれていてもよい。
【００５４】
また、機能ＡＳが、受信した「ＲＲＣ  ＨＯ  ｆｒｏｍ  ＥＵＴＲＡ」又は「ＲＲＣ  Ｃｏｎｎｅｃｔｉｏｎ  Ｒｅｌｅａｓｅ」内から「ＮＡＳ  Ｓｅｒｖｉｃｅ  Ａｃｃｅｐｔ」を抽出し、抽出した「ＮＡＳ  Ｓｅｒｖｉｃｅ  Ａｃｃｅｐｔ」を機能ＥＭＭに送信する。
【００５５】
ステップＳ１０１１において、機能ＥＭＭが、「ＮＡＳ  Ｓｅｒｖｉｃｅ  Ａｃｃｅｐｔ」を受信した場合に、機能ＭＭに対して、回線交換通信を開始するように指示するための「Ｐｒｉｍｉｔｉｖｅ」を送信する。
【００５６】
ステップＳ１０１２において、機能ＡＳが、「Ｒｅｄｉｒｅｃｔｉｏｎ  Ｉｎｆｏｒｍａｔｉｏｎ」を受信した場合に、ＷＣＤＭＡ/ＧＳＭ方式のセルを選択する。
【００５７】
ステップＳ１０１３において、無線基地局ｅＮＢが、交換機ＭＭＥに対して、「Ｓ１  Ｓｅｔｕｐ  Ｃｏｍｐｌｅｔｅ」を送信し、ステップＳ１０１４において、交換機ＭＭＥが、無線基地局ｅＮＢに対して「Ｓ１  Ｒｅｌｅａｓｅ」を送信し、ステップＳ１０１５において、無線基地局ｅＮＢが、交換機ＭＭＥに対して、「Ｓ１  Ｒｅｌｅａｓｅ  Ｃｏｍｐｌｅｔｅ」を送信する。
【００５８】
ステップＳ１０１６において、機能ＭＭが、機能ＡＳによって選択されたＷＣＤＭＡ/ＧＳＭ方式のセルを介して回線交換（ＣＳ）通信用のリンクを確立し、移動局ＵＥと交換機ＭＭＥとの間で「Ｕ-Ｐｌａｎｅ」が導通する。
【００５９】
第２に、図４を参照して、移動局ＵＥに対する着信処理について説明する。
【００６０】
図４に示すように、ステップＳ２０００において、移動局ＵＥは、ＬＴＥ方式の交換機ＭＭＥ及びＷＣＤＭＡ/ＧＳＭ方式の交換機ＭＳＣに対して、位置登録処理（Ａｔｔａｃｈ/ＴＡＵ）を行っている。ステップＳ１０００において、かかる位置登録処理を行った後、移動局ＵＥは、ＬＴＥ方式のシステムにて待ち受けを行っている。
【００６１】
ＷＣＤＭＡ/ＧＳＭ方式の交換機ＭＳＣは、ステップＳ２００１において、ＬＴＥ方式の交換機ＭＭＥに対して、移動局ＵＥ宛ての「Ｐａｇｉｎｇ（ページング信号）」を送信すると共に、ステップＳ２００２において、ＷＣＤＭＡ/ＧＳＭ方式の無線制御装置ＲＮＣ/ＢＳＣに対して、移動局ＵＥ宛ての「Ｐａｇｉｎｇ（ページング信号）」を送信する。
【００６２】
ＬＴＥ方式の交換機ＭＭＥは、ステップＳ２００３において、ＬＴＥ方式の無線基地局ｅＮＢに対して、移動局ＵＥ宛ての「Ｓ１  Ｐａｇｉｎｇ（ページング信号）」を送信すると共に、ステップＳ２００４において、移動局ＵＥに対して、移動局ＵＥ宛ての「Ｐａｇｉｎｇ（ページング信号）」を送信する。
【００６３】
ステップＳ２００４の「Ｐａｇｉｎｇ（ページング信号）」は、ステップＳ２００３の「Ｓ１  Ｐａｇｉｎｇ（ページング信号）」に含まれて送信される。
【００６４】
ここで、ステップＳ２００４において送信される「Ｐａｇｉｎｇ（ページング信号）」には、移動局ＵＥの識別情報である「Ｓ-ＴＭＳＩ（ＳＡＥ-Ｔｅｍｐｏｒａｒｙ  Ｍｏｂｉｌｅ  Ｓｕｂｓｃｒｉｂｅｒ  Ｉｄｅｎｔｉｔｙ）」が含まれているものとする。
【００６５】
一方、ＷＣＤＭＡ/ＧＳＭ方式の無線制御装置ＲＮＣ/ＢＳＣは、配下の無線基地局ＮｏｄｅＢ/ＢＴＳに対して、移動局ＵＥ宛ての「Ｐａｇｉｎｇ（ページング信号）」を送信する。
【００６６】
ステップＳ２００５において、機能ＥＭＭが、ＡＳプロトコル対応処理を行う機能ＡＳに対して「Ｐｒｉｍｉｔｉｖｅ」を送信する。
【００６７】
ステップＳ２００６において、機能ＡＳが、無線基地局ｅＮＢに対して「ＲＲＣ  Ｃｏｎｎｅｃｔｉｏｎ  Ｒｅｑｕｅｓｔ」を送信する。
【００６８】
ステップＳ２００７において、無線基地局ｅＮＢが、機能ＡＳに対して「ＲＲＣ  Ｃｏｎｎｅｃｔｉｏｎ  Ｓｅｔｕｐ」を送信する。
【００６９】
ステップＳ２００８乃至Ｓ２０１０において、機能ＥＭＭが、機能ＡＳに対して「ＮＡＳ  Ｓｅｒｖｉｃｅ  Ｒｅｑｕｅｓｔ」を送信し、機能ＡＳが、受信した「ＮＡＳ  Ｓｅｒｖｉｃｅ  Ｒｅｑｕｅｓｔ」を「ＲＲＣ  Ｃｏｎｎｅｃｔｉｏｎ  Ｓｅｔｕｐ  Ｃｏｍｐｌｅｔｅ」内に含めて無線基地局ｅＮＢに送信し、無線基地局ｅＮＢが、受信した「ＲＲＣ  Ｃｏｎｎｅｃｔｉｏｎ  Ｒｅｑｕｅｓｔ」内から「Ｓ−ＴＭＳＩ（移動局ＵＥの識別情報）」を抽出し、また、受信した「ＲＲＣ  Ｃｏｎｎｅｃｔｉｏｎ  Ｓｅｔｕｐ  Ｃｏｍｐｌｅｔｅ」内から「ＮＡＳ  Ｓｅｒｖｉｃｅ  Ｒｅｑｕｅｓｔ」を抽出し、抽出した「Ｓ-ＴＭＳＩ」及び「ＮＡＳ  Ｓｅｒｖｉｃｅ  Ｒｅｑｕｅｓｔ」を「Ｓ１  Ｉｎｉｔｉａｌ  ＵＥ  Ｍｅｓｓａｇｅ（初期情報）」内に含めて交換機ＭＭＥに送信する。
【００７０】
また、「Ｓ１  Ｉｎｉｔｉａｌ  ＵＥ  Ｍｅｓｓａｇｅ（初期情報）」には、「Ｓ-ＴＭＳＩ（移動局ＵＥの識別情報）」が含まれているものとする。
【００７１】
この結果、交換機ＭＭＥは、ステップＳ２００４の「Ｐａｇｉｎｇ（ページング信号）」に含まれる「Ｓ-ＴＭＳＩ（移動局ＵＥの識別情報）」と「Ｓ１  Ｉｎｉｔｉａｌ  ＵＥ  Ｍｅｓｓａｇｅ（初期情報）」に含まれる「Ｓ-ＴＭＳＩ（移動局ＵＥの識別情報）」とが一致する場合に、ステップＳ２０１１乃至Ｓ２０１３において、交換機ＭＭＥが、無線基地局ｅＮＢに対して、「ＵＥ  ｃａｐａｂｉｌｉｔｙ（移動局の能力情報）」を含む「Ｓ１  Ｉｎｉｔｉａｌ  ＵＥ  Ｃｏｎｔｅｘｔ  Ｓｅｔｕｐ」内に「ＮＡＳ  Ｓｅｒｖｉｃｅ  Ａｃｃｅｐｔ」を含めて送信する。
【００７２】
ここで、「Ｓ１  Ｉｎｉｔｉａｌ  ＵＥ  Ｃｏｎｔｅｘｔ  Ｓｅｔｕｐ（設定情報）」及び「ＮＡＳ  Ｓｅｒｖｉｃｅ  Ａｃｃｅｐｔ（第１プロトコル用サービス応答）」には、回線交換通信の開始に関係することを示す情報「ＣＳＦＢ」が含まれているものとする。
【００７３】
その後、無線基地局ｅＮＢが、受信した「Ｓ１  Ｉｎｉｔｉａｌ  ＵＥ  Ｃｏｎｔｅｘｔ  Ｓｅｔｕｐ」内から「ＮＡＳ  Ｓｅｒｖｉｃｅ  Ａｃｃｅｐｔ」を抽出し、抽出した「ＮＡＳ  Ｓｅｒｖｉｃｅ  Ａｃｃｅｐｔ」を「ＲＲＣ  ＨＯ  ｆｒｏｍ  ＥＵＴＲＡ」又は「ＲＲＣ  Ｃｏｎｎｅｃｔｉｏｎ  Ｒｅｌｅａｓｅ」内に含めて交換機ＭＭＥに送信する。
【００７４】
また、機能ＡＳが、受信した「ＲＲＣ  ＨＯ  ｆｒｏｍ  ＥＵＴＲＡ」又は「ＲＲＣ  Ｃｏｎｎｅｃｔｉｏｎ  Ｒｅｌｅａｓｅ」内から「ＮＡＳ  Ｓｅｒｖｉｃｅ  Ａｃｃｅｐｔ」を抽出し、抽出した「ＮＡＳ  Ｓｅｒｖｉｃｅ  Ａｃｃｅｐｔ」を機能ＥＭＭに送信する。
【００７５】
ステップＳ２０１４乃至Ｓ２０２０の動作は、上述の図２におけるステップＳ１０１１乃至Ｓ１０１７の動作と同一である。
【００７６】
（本発明の第１の実施形態に係る移動通信システムの作用・効果）
本発明の第１の実施形態に係る移動通信システムによれば、ＬＴＥ方式のシステムにて待ち受けを行っている移動局ＵＥ宛てに、回線交換通信用ページング信号が送信される場合、及び、移動局ＵＥが回線交換通信を発信する場合に、強制的に当該移動局ＵＥをＷＣＤＭＡ/ＧＳＭ方式のシステムにて回線交換通信を開始するよう指示することができるため、移動局ＵＥが、ＬＴＥ方式のシステムにて待ち受けを行っている場合であっても、回線交換通信（発着信共に）を行うことができる。
【００７７】
また、本発明の第１の実施形態に係る移動通信システムによれば、無線基地局ｅＮＢが、機能ＥＭＭに対して「ＮＡＳ  Ｓｅｒｖｉｃｅ  Ａｃｃｅｐｔ」を送信するのと同時に、機能ＡＳに対して「ＲＲＣ  ＨＯ  ｆｒｏｍ  ＥＵＴＲＡ」又は「ＲＲＣ  Ｃｏｎｎｅｃｔｉｏｎ  Ｒｅｌｅａｓｅ」を送信しているため、「ＮＡＳ  Ｓｅｒｖｉｃｅ  Ａｃｃｅｐｔ」の前に「ＲＲＣ  ＨＯ  ｆｒｏｍ  ＥＵＴＲＡ」又は「ＲＲＣ  Ｃｏｎｎｅｃｔｉｏｎ  Ｒｅｌｅａｓｅ」が移動局ＵＥに到着してしまうという不具合を回避することができる。
【００７８】
なお、本実施形態は、移動局ＵＥがＩｄｌｅ状態である場合に発着信を行うプロシージャに着目して説明を行ったが、本発明は、既に移動局が第１通信方式でＣｏｎｎｅｃｔｅｄ状態である場合適用されてもよい。
【００７９】
かかる場合、「ＲＲＣ  Ｃｏｎｎｅｃｔｉｏｎ  Ｒｅｑｕｅｓｔ」及び「ＲＲＣ  Ｃｏｎｎｅｃｔｉｏｎ  Ｓｅｔｕｐ」は省かれてもよく、また、「ＲＲＣ  Ｃｏｎｎｅｃｔｉｏｎ  Ｓｅｔｕｐ  Ｃｏｍｐｌｅｔｅ」は他のメッセージで置き換えられてもよい。
【００８０】
（変更例）
なお、上述の移動局ＵＥや無線基地局ｅＮＢや交換機ＭＭＥの動作は、ハードウェアによって実施されてもよいし、プロセッサによって実行されるソフトウェアモジュールによって実施されてもよいし、両者の組み合わせによって実施されてもよい。
【００８１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや交換機ＭＭＥ内に設けられていてもよい。また、かかる記憶媒体及びプロセッサは、ディスクリートコンポーネントとして移動局ＵＥや無線基地局ｅＮＢや交換機ＭＭＥ内に設けられていてもよい。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８４】
【図１】本発明の第１の実施形態に係る移動通信システムの全体構成図である。
【図２】本発明の第１の実施形態に係る移動局のプロトコル構成を示す図である。
【図３】本発明の第１の実施形態に係る移動通信システムにおいて発信時の動作を示すシーケンス図である。
【図４】本発明の第１の実施形態に係る移動通信システムにおいて着信時の動作を示すシーケンス図である。
【図５】従来の移動通信システムにおいて発着信時の動作を示すシーケンス図である。
【符号の説明】
【００８５】
ＵＥ…移動局
ｅＮＢ、ＮｏｄｅＢ、ＢＴＳ…無線基地局
ＲＮＣ、ＢＳＣ…無線制御装置
ＭＭＥ、ＭＳＣ、ＳＧＳＮ…交換機
【図１】
2009267997.tif 000003
【図２】
2009267997.tif 000004
【図３】
2009267997.tif 000005
【図４】
2009267997.tif 000006
【図５】
2009267997.tif 000007